(57)【要約】      （修正有）【課題】固定杆を打ち込む既存のタイプの樋保持具を用いて施工できるようにするとともに、包持体の進退動位置を可変にできるようにし、しかも、進退動位置を変えても確実に支持できる樋保持具用支持装置を提供する。【解決手段】管状の樋を包持するリング状の包持体Ｈａ及び包持体Ｈａから突設し建物の壁に打ち込むことが可能な固定杆Ｈｂを備えた樋保持具Ｈを支持するもので、建物に取付けられ樋保持具Ｈの固定杆Ｈｂを支持する本体１を備え、本体１に樋保持具Ｈの固定杆Ｈｂが挿通可能な貫通孔５を形成し、本体１に貫通孔５に挿通された樋保持具Ｈの固定杆Ｈｂを所望の位置でロックするロック手段２０を設けた。【選択図】図３
0003198271.tif 000002
【実用新案登録請求の範囲】
【請求項１】
管状の樋を包持するリング状の包持体及び該包持体から突設し建物の壁に打ち込むことが可能な固定杆を備えた樋保持具を支持する樋保持具用支持装置であって、
建物に取付けられ上記樋保持具の固定杆を支持する本体を備え、該本体に上記樋保持具の固定杆が挿通可能な貫通孔を形成し、上記本体に上記貫通孔に挿通された固定杆を所望の位置でロックするロック手段を設けたことを特徴とする樋保持具用支持装置。
【請求項２】
管状の樋を包持するリング状の包持体及び該包持体から突設し建物の壁に打ち込むことが可能な固定杆を備えた樋保持具を支持する樋保持具用支持装置であって、
壁に当接可能な裏面を有し壁に取付けられるベースと、該ベースの表面に一体に突設された突出部とを有した本体を備え、該本体の突出部の先端面から上記ベースの裏面に亘って貫通形成され上記樋保持具の固定杆が挿通可能な貫通孔を形成し、上記突出部に上記貫通孔に挿通された固定杆を所望の位置でロックするロック手段を設けたことを特徴とする樋保持具用支持装置。
【請求項３】
上記ロック手段を、上記突出部の外側面から貫通孔に亘って形成された雌ネジ部と、該雌ネジ部に螺合しネジ込まれて上記固定杆を該貫通孔の内壁に押圧するロックボルトとを備えて構成したことを特徴とする請求項２記載の樋保持具用支持装置。
【請求項４】
上記ロックボルトを頭部に把持片を備えた蝶ボルトで構成したことを特徴とする請求項３記載の樋保持具用支持装置。
【請求項５】
上記突出部を、上記ベースの略中央に突設し、該ベースの突出部の周囲であって上記貫通孔の軸線を中心とした点対称位置に該貫通孔の軸線と平行な軸線を有した複数の取付孔を形成したことを特徴とする請求項２乃至４何れかに記載の樋保持具用支持装置。
【請求項６】
上記ベースの裏面を、壁に接合される外周縁部と、該外周縁部に囲繞され該外周縁部面よりも上記突出部側に所定深さ凹設されシール部材を介装可能な凹部とを備えて構成したことを特徴とする請求項２乃至５何れかに記載の樋保持具用支持装置。
【請求項７】
上記ベースの裏面に開口する上記貫通孔の開口縁部を面取り形成し、シール材料を介装可能な空所を形成したことを特徴とする請求項２乃至６何れかに記載の樋保持具用支持装置。
【請求項８】
管状の樋を包持するリング状の包持体及び該包持体から突設し建物の壁に打ち込むことが可能な固定杆を備えた樋保持具を支持する樋保持具用支持装置であって、
屋根に付設される付設部材に取付けられる本体を備え、該本体を上記付設部材に取付ける取付け手段を設け、上記本体に上記樋保持具の固定杆が挿通可能な貫通孔を形成し、上記本体に上記貫通孔に挿通された固定杆を所望の位置でロックするロック手段を設けたことを特徴とする樋保持具用支持装置。
【請求項９】
上記ロック手段を、上記本体の外側面から貫通孔に亘って形成された雌ネジ部と、該雌ネジ部に螺合しネジ込まれて上記固定杆を該貫通孔の内壁に押圧するロックボルトとを備えて構成したことを特徴とする請求項８記載の樋保持具用支持装置。
【請求項１０】
上記付設部材は、露出した一方面及び他方面を有するとともに貫通した通孔を有した板状部を備えて構成され、
上記取付け手段を、上記本体に突設され該本体が上記付設部材の一方面側に配置された状態で該付設部材の上記通孔に挿通される取付けボルトと、上記付設部材の他方面側で上記取付けボルトに螺合しネジ込まれて該他方面に当接して上記本体とともに該付設部材の板状部を挾持して該本体を該板状部に取付ける取付けナットとを備えて構成したことを特徴とする請求項８または９記載の樋保持具用支持装置。
【請求項１１】
上記ロック手段を、上記本体の外側面から貫通孔に亘って形成された雌ネジ部と、該雌ネジ部に螺合しネジ込まれて上記固定杆を該貫通孔の内壁に押圧するロックボルトとを備えて構成し、
上記取付け手段の取付けボルトを上記ロックボルトで構成したこと特徴とする請求項１０記載の樋保持具用支持装置。
【請求項１２】
上記付設部材は、露出した一方面及び他方面を有するとともに貫通した通孔を有した板状部を備えて構成され、
上記本体を、上記通孔に挿通され一端側から雄ネジが形成され他端側に上記貫通孔が形成されるとともに上記付設部材の通孔に挿通されて該貫通孔を上記一方面側に位置させる直状ボルトで構成し、
上記取付け手段を、上記付設部材の一方面側に位置した上記本体の貫通孔に上記樋保持具の固定杆を挿通した状態で、上記付設部材の他方面側から上記本体の雌ネジに螺合し、ネジ込まれて該他方面に当接して上記固定杆とともに該付設部材の板状部を挾持して該本体を該板状部に取付ける取付けナットを備えて構成し、
上記ロック手段を、上記取付け手段の取付けナットで構成したことを特徴とする請求項８記載の樋保持具用支持装置。
【考案の詳細な説明】
【技術分野】
【０００１】
本考案は、管状の樋を保持する樋保持具を建物に支持するための樋保持具用支持装置に係り、特に、壁に打ち込むことができる固定杆を備えた既存の樋保持具を支持する樋保持具用支持装置に関する。
【背景技術】
【０００２】
一般に、図１３に示すように、住宅などの建物においては、屋根に降る雨水を、軒先に設けた開放の樋から管状の樋Ｔを通して排出するようにしている。この管状の樋Ｔは、所謂縦樋といわれ、主には壁Ｗに沿って設けられ、また、建物の構造によっては、屋根Ｒに沿っても設けられる。壁Ｗに沿って設ける場合には、従来から、例えば、一般に市販されて極普通に用いられている樋保持具Ｈで保持する（例えば、特開２００５−２９９２５０号公報（特許文献１）等に掲載）。図１４に示すように、この樋保持具Ｈは、開閉可能で閉時に管状の樋を包持するリング状の包持体Ｈａと、包持体Ｈａから突設し壁Ｗに打ち込むことが可能な固定杆Ｈｂとを備えて構成されている。固定杆Ｈｂは先端が先細りなっており、釘様に形成されている。
【０００３】
この樋保持具Ｈを用いるときは、壁Ｗにハンマーで固定杆Ｈｂを打ち込んで固定する。この樋保持具Ｈは、一本の縦樋Ｔに対して、複数個設けるので、壁Ｗへの施工時には、樋Ｔが真っ直ぐに固定されるように、壁Ｗに対する包持体Ｈａの位置が均等に所定位置に位置するように、固定杆Ｈｂの打ち込み寸法に気を使う。もし、打ち込みすぎると、引き出す所謂出の調整を行なうが、その分、固定杆Ｈｂの壁Ｗに対する支持がゆるくなって弱くなる。そのため、場所を変えて打ち込みなおすことも行なう。
【０００４】
また、図１５に示すように、管状の樋Ｔを壁Ｗに沿って設ける場合には、例えば、実用新案登録第３０４５１０９号公報（特許文献２）に記載の樋保持具１００も知られている。これは、上記の一般的な樋保持具Ｈにおいては、所謂出の調整は好ましくないことに鑑みなされたもので、上記樋保持具Ｈと同様の包持体１０１を備えるとともに、上記の固定杆Ｈｂに相当する取付部１０２を、壁Ｗに図示外のビスで固定され雌ネジ部１０３を有したベース１０４と、ベース１０４の雌ネジ部１０３に対して螺合する雄ネジ部１０５とを有して構成し、雄ネジ部１０５のネジ込み程度によって包持体１０１のベース１０４に対する突出位置を可変にしている。
【０００５】
一方、管状の樋Ｔを屋根Ｒに沿って設ける場合には、屋根Ｒに穴を開けると雨水の漏れの原因になるので、屋根Ｒには上記の壁Ｗの樋保持具（Ｈ，１００）のように屋根Ｒに固定杆Ｈｂを打ち込んだり、ビスをねじ込んだりすることができないことから、図１６に示すように、例えば、特開２００３−３６２６号公報（特許文献３）に記載のような専用の樋保持具１１０を用いる。この樋保持具１１０は、金属製屋根用のもので、上記樋保持具Ｈと同様の包持体１１１を備えるとともに、上記の固定杆Ｈｂに相当する取付部１１２を、金属屋根に形成される段差部Ｒａに係止させる形状に形成している。
【先行技術文献】
【特許文献】
【０００６】
【特許文献１】特開２００５−２９９２５０号公報
【特許文献２】実用新案登録第３０４５１０９号公報
【特許文献３】特開２００３−３６２６号公報
【考案の概要】
【考案が解決しようとする課題】
【０００７】
ところで、上記従来の打ち込み型の樋保持具においては、図１４に示すように、固定杆Ｈｂを打ち込みすぎると、引き出す所謂出の調整を行なうが、その分、固定杆Ｈｂの壁Ｗに対する支持がゆるくなって弱くなるという欠点がある。しかしながら、現況、このタイプの樋保持具Ｈが一般的に広く普及しており、その数も膨大であり、できるだけ、この一般的な樋保持具Ｈを使用したいという実情がある。
【０００８】
また、図１５に示す壁用の樋保持具１００にあっては、雄ネジ部１０５のネジ込み程度によって包持体１０１のベース１０４に対する突出位置を可変にしているので、上記の打ち込み型の樋保持具Ｈの欠点は解消される。しかしながら、雄ネジ部１０５を形成した包持体１０１を別途作成しなければならないので、製造が煩雑になる。また、雄ネジ部１０５の先端はベース１０４の雌ネジ部１０３の底部までしかネジ込むことができないので、その調整寸法が小さくなっており、包持体１０１をできるだけ壁Ｗに近づけて位置させたい場合に、対応できない。また、雄ネジ部１０５の回転によるので、包持体１０１の姿勢の関係で１８０度回転ずつ進退動させなければならないことから、微調整しにくいという問題があった。
【０００９】
更に、図１６に示す屋根用の樋保持具１６にあっては、屋根Ｒの構造や形状は種々あって一義的でないことから、屋根Ｒの構造や形状に合わせた取付部１１２を有した専用の樋保持具を逐一作製しなければならないので、汎用性に劣るという問題があった。また、包持体１１１の位置を変えたいときには、逐一、取付部１１２を移動させなければならないので、調整作業性が極めて悪いという問題があった。
【００１０】
本考案は上記の問題点に鑑みて為されたもので、固定杆を打ち込む既存のタイプの樋保持具を用いて施工できるようにするとともに、包持体の進退動位置を可変にできるようにし、しかも、進退動位置を変えても確実に支持できるようにした樋保持具用支持装置を提供することを目的とする。
【課題を解決するための手段】
【００１１】
このような目的を達成するための本考案の樋保持具用支持装置は、基本的に、管状の樋を包持するリング状の包持体及び該包持体から突設し建物の壁に打ち込むことが可能な固定杆を備えた樋保持具を支持する樋保持具用支持装置であって、
建物に取付けられ上記樋保持具の固定杆を支持する本体を備え、該本体に上記樋保持具の固定杆が挿通可能な貫通孔を形成し、上記本体に上記貫通孔に挿通された固定杆を所望の位置でロックするロック手段を設けた構成としている。
【００１２】
これにより、樋保持具を建物に取付けるときは、先ず、樋保持具の取付け位置に本樋保持具用支持装置の本体を取付ける。次に、樋保持具の固定杆を本体に形成した貫通孔に挿通し、その後、ロック手段により固定杆をロックする。この場合、固定杆を進退動させて包持体の位置を調整できるので、樋保持具に保持する樋を適正位置で保持することができるようになる。また、ロック手段により本体に支持されて固定されるので、支持が強固で確実になる。そして、固定杆を打ち込む既存のタイプの樋保持具を用いて施工できるようになるので、このタイプの樋保持具は一般的に広く普及しており、その数も膨大であることから、汎用性を確保することができる。
【００１３】
より具体的には、本考案は、壁に管状の樋を設けるときは、以下の構成とすることができる。即ち、本考案の樋保持具用支持装置は、管状の樋を包持するリング状の包持体及び該包持体から突設し建物の壁に打ち込むことが可能な固定杆を備えた樋保持具を支持する樋保持具用支持装置であって、
壁に当接可能な裏面を有し壁に取付けられるベースと、該ベースの表面に一体に突設された突出部とを有した本体を備え、該本体の突出部の先端面から上記ベースの裏面に亘って貫通形成され上記樋保持具の固定杆が挿通可能な貫通孔を形成し、上記突出部に上記貫通孔に挿通された固定杆を所望の位置でロックするロック手段を設けた構成としている。
【００１４】
これにより、樋保持具を壁に取付けるときは、先ず、樋保持具の取付け位置に本樋保持具用支持装置の本体をそのベースにおいて例えばビスにより取付ける。次に、樋保持具の固定杆を本体の突出部の貫通孔に挿通し、ハンマーなどで壁に打ち付ける。この場合、貫通孔なので固定杆の打ち込みを容易に行うことができる。この打ち込みにおいては、樋の保持位置に合わせて調整する。この際、もし、打ち込みすぎたときは、固定杆を引き抜き、所謂出の調整を行なう。その後、ロック手段により固定杆をロックする。このため、出の調整により固定杆の壁に対する支持がゆるくなって弱くなっても、ロック手段により支持装置の突出部に支持されて固定されるので、支持が強固で確実になる。即ち、固定杆を打ち込む既存のタイプの樋保持具を用いて施工できるようになるとともに、包持体の進退動位置を可変にできるようになる。しかも、進退動位置を変えても、特に、所謂出の調整をしても、確実に壁に支持できるようになるのである。また、樋保持具の固定杆が壁に打ち込むことができない位置に移動させることがあっても、突出部においてロック手段により固定杆をロックすることができるので、支持を確実にできる。このため、樋保持具の進退動位置調整の幅を大きくとることができ、施工の自由度を増すことができる。
【００１５】
そして、必要に応じ、上記ロック手段を、上記突出部の外側面から貫通孔に亘って形成された雌ネジ部と、該雌ネジ部に螺合しネジ込まれて上記固定杆を該貫通孔の内壁に押圧するロックボルトとを備えて構成している。ロックボルトのネジ込みで固定杆をロックできるので、構造を簡単にして、ロック作業を容易にすることができる。
【００１６】
この場合、上記ロックボルトを頭部に把持片を備えた蝶ボルトで構成したことが有効である。手で締め付けを行うことができるので、ロック作業をより一層容易にすることができる。
【００１７】
また、必要に応じ、上記突出部を、上記ベースの略中央に突設し、該ベースの突出部の周囲であって上記貫通孔の軸線を中心とした点対称位置に該貫通孔の軸線と平行な軸線を有した複数の取付孔を形成した構成としている。取付孔にビスなどをネジ込むことにより、突出部の周囲を均等に固定することができるので、バランスよく樋保持具を支持することができ、支持を安定させることができる。
【００１８】
更に、必要に応じ、上記ベースの裏面を、壁に接合される外周縁部と、該外周縁部に囲繞され該外周縁部面よりも上記突出部側に所定深さ凹設されシール部材を介装可能な凹部とを備えて構成している。凹部にシール部材、例えば、粘着性のシールテープを介在させることができるので、固定杆から雨水が壁に侵入する事態を防止することができる。従来のように樋保持具のみを壁に付設した場合には、壁とのシール性を確保することができず防水性に劣るが、本構成では防水性を確保することができるのである。
【００１９】
更にまた、必要に応じ、上記ベースの裏面に開口する上記貫通孔の開口縁部を面取り形成し、シール材料を介装可能な空所を形成した構成としている。シール材料としては、シリコーン系やポリウレタン系などの樹脂からなる充填剤（コーキング剤）を用いることができる。貫通孔自体をシール材料で塞ぐので、固定杆から雨水が壁に侵入する事態をより一層確実に防止することができる。
【００２０】
そしてまた、本考案は、屋根に管状の樋を設けるときは、以下の構成とすることができる。即ち、本考案の樋保持具用支持装置は、管状の樋を包持するリング状の包持体及び該包持体から突設し建物の壁に打ち込むことが可能な固定杆を備えた樋保持具を支持する樋保持具用支持装置であって、
屋根に付設される付設部材に取付けられる本体を備え、該本体を上記付設部材に取付ける取付け手段を設け、上記本体に上記樋保持具の固定杆が挿通可能な貫通孔を形成し、上記本体に上記貫通孔に挿通された固定杆を所望の位置でロックするロック手段を設けた構成としている。
【００２１】
これにより、樋保持具を屋根に取付けるときは、先ず、樋保持具の取付け位置に付設部材を取り付ける。付設部材としては、例えば、雪止め用の金具や、屋根に雪止め用の部材などを取り付けるための取付金具等、既存の部材を用いることができる。これらの既存の屋根用の金具は、金属製屋根，瓦屋根など種々の屋根の構造や形状などの態様に合わせて種々市販されており、その種類も多く汎用性に富む。
【００２２】
それから、この付設部材に本樋保持具用支持装置の本体を取付け手段によって取付けるとともに、樋保持具の固定杆を本体に形成した貫通孔に挿通し、その後、ロック手段により固定杆をロックする。この場合、固定杆を進退動させて包持体の位置を調整できるので、樋保持具に保持する樋を適正位置で保持することができるようになる。また、ロック手段により本体に支持されて固定されるので、支持が強固で確実になる。そして、固定杆を打ち込む既存のタイプの樋保持具を用いて施工できるようになるので、このタイプの樋保持具は一般的に広く普及しており、その数も膨大であることから、汎用性を確保することができる。即ち、従来のように、屋根専用の樋保持具を用いなくても、付設部材として既存の雪止め用の金具等を用い、既存のタイプの樋保持具を用いて施工できるようになるので、汎用性を得ることができるのである。
【００２３】
そして、必要に応じ、上記ロック手段を、上記本体の外側面から貫通孔に亘って形成された雌ネジ部と、該雌ネジ部に螺合しネジ込まれて上記固定杆を該貫通孔の内壁に押圧するロックボルトとを備えて構成している。ロックボルトのネジ込みで固定杆をロックできるので、構造を簡単にして、ロック作業を容易にすることができる。
【００２４】
また、必要に応じ、上記付設部材は、露出した一方面及び他方面を有するとともに貫通した通孔を有した板状部を備えて構成され、
上記取付け手段を、上記本体に突設され該本体が上記付設部材の一方面側に配置された状態で該付設部材の上記通孔に挿通される取付けボルトと、上記付設部材の他方面側で上記取付けボルトに螺合しネジ込まれて該他方面に当接して上記本体とともに該付設部材の板状部を挾持して該本体を該板状部に取付ける取付けナットとを備えて構成した構成としている。
【００２５】
通孔が予め設けられている雪止め金具等の既存の部材を用いることができる。通孔がないときは、電動ドリルなどで別途設ければ良い。そして、この付設部材の板状部に本体を取付け手段により取付けるときは、通孔に取付けボルトを挿通してこれに取付けナットをネジ込み、この取付けナットと本体とで付設部材の板状部を挾持して本体を板状部に取付ける。取付けナットを締め付けるだけで固定できるので、構造を簡単にして、固定作業を容易にすることができる。
【００２６】
この場合、上記ロック手段を、上記本体の外側面から貫通孔に亘って形成された雌ネジ部と、該雌ネジ部に螺合しネジ込まれて上記固定杆を該貫通孔の内壁に押圧するロックボルトとを備えて構成し、上記取付け手段の取付けボルトを上記ロックボルトで構成したことが有効である。取付けボルトとロックボルトと共用できるので、より一層構造を簡単にすることができ、汎用性を増すことができる。
【００２７】
また、別の態様としては以下の構成にすることができる。即ち、上記付設部材は、露出した一方面及び他方面を有するとともに貫通した通孔を有した板状部を備えて構成され、
上記本体を、上記通孔に挿通され一端側から雄ネジが形成され他端側に上記貫通孔が形成されるとともに上記付設部材の通孔に挿通されて該貫通孔を上記一方面側に位置させる直状ボルトで構成し、
上記取付け手段を、上記付設部材の一方面側に位置した上記本体の貫通孔に上記樋保持具の固定杆を挿通した状態で、上記付設部材の他方面側から上記本体の雌ネジに螺合し、ネジ込まれて該他方面に当接して上記固定杆とともに該付設部材の板状部を挾持して該本体を該板状部に取付ける取付けナットを備えて構成し、
上記ロック手段を、上記取付け手段の取付けナットからなるロックナットで構成している。
【００２８】
通孔が予め設けられている雪止め金具等の既存の部材を用いることができる。通孔がないときは、電動ドリルなどで別途設ければ良い。そして、この付設部材に樋保持具を取付けるときは、付設部材の通孔に直状ボルトからなる本体を挿通し、付設部材の一方面側に位置した本体の貫通孔に樋保持具の固定杆を挿通し、この状態で、付設部材の他方面側から取付け手段の取付けナット（ロック手段のロックナット）をネジ込み、この取付けナット（ロックナット）と固定杆とで付設部材の板状部を挾持して本体を板状部に取付ける。これにより、取付けナット（ロックナット）を締め付けるだけで、本体を固定できるとともに、同時に樋保持具の固定杆をロックできるので、構造を極めて簡単にして、固定作業を容易にすることができる。即ち、取付けボルトとロックボルトと共用できるので、より一層構造を簡単にすることができ、汎用性を増すことができる。
【考案の効果】
【００２９】
本考案によれば、樋保持具を建物に取付けるときは、樋保持具の固定杆を本体に形成した貫通孔に挿通し、その後、ロック手段により固定杆をロックするが、この場合、固定杆を進退動させて包持体の位置を調整できるので、樋保持具に保持する樋を適正位置で保持することができるようになる。また、ロック手段により本体に支持されて固定されるので、支持が強固で確実になる。そして、固定杆を打ち込む既存のタイプの樋保持具を用いて施工できるようになるので、このタイプの樋保持具は一般的に広く普及しており、その数も膨大であることから、汎用性を確保することができる。
また、樋保持具を付設部材を用いて屋根に取付ける場合には、付設部材としては、例えば、雪止め用の金具や、屋根に雪止め用の部材などを取り付けるための取付金具等、既存の部材を用いることができるので、これらの既存の屋根用の金具は、種々の屋根の態様に合わせて種々市販されており、その種類も多く汎用性に富むことから、従来のように、屋根専用の樋保持具を用いなくても良く、汎用性を得ることができる。
【図面の簡単な説明】
【００３０】
【図１】本考案の第一の実施の形態に係る樋保持具用支持装置を樋保持具の一例とともに示す斜視図である。
【図２】本考案の第一の実施の形態に係る樋保持具用支持装置を示し、（ａ）は表側から見た斜視図、（ｂ）は裏側から見た斜視図である。
【図３】本考案の第一実施の形態に係る樋保持具用支持装置を壁への取付け状態及び樋保持具の取付け状態とともに示す断面図である。
【図４】本考案の第一実施の形態に係る樋保持具用支持装置を壁への取付け状態及び樋保持具の別の取付け状態とともに示す断面図である。
【図５】本考案の第二の実施の形態に係る樋保持具用支持装置を樋保持具の一例及び付設部材の一例とともに示す斜視図である。
【図６】本考案の第二の実施の形態に係る樋保持具用支持装置を示す分解斜視図である。
【図７】本考案の第二の実施の形態に係る樋保持具用支持装置を屋根への取付け状態及び樋保持具の取付け状態とともに示す斜視図である。
【図８】本考案の第二の実施の形態に係る樋保持具用支持装置を樋保持具の取付け状態とともに示す断面図である。
【図９】本考案の第三の実施の形態に係る樋保持具用支持装置を樋保持具の一例及び付設部材の一例とともに示す斜視図である。
【図１０】本考案の第三の実施の形態に係る樋保持具用支持装置を示し、（ａ）は分解斜視図、（ｂ）は組み付けた状態の斜視図である。
【図１１】本考案の第三の実施の形態に係る樋保持具用支持装置を屋根への取付け状態及び樋保持具の取付け状態とともに示す斜視図である。
【図１２】本考案の第三の実施の形態に係る樋保持具用支持装置を樋保持具の取付け状態とともに示す断面図である。
【図１３】本考案が適用される建物の一例を樋の取付け状態の一例とともに示す図である。
【図１４】本考案が適用される樋保持具の一例を示す斜視図である。
【図１５】従来の壁用の樋保持具の一例を示す斜視図である。
【図１６】従来の屋根用の樋保持具の一例を示す斜視図である。
【考案を実施するための形態】
【００３１】
以下、添付図面に基づいて、本考案の実施の形態に係る樋保持具用支持装置について詳細に説明する。尚、上記と同様のものには同一の符号を付して説明する。
図１乃至図４には、本考案の第一の実施の形態に係る樋保持具用支持装置ＳＡを示している。この樋保持具用支持装置ＳＡは、壁用のものであり、図１に示すように、管状の樋Ｔを包持するリング状の包持体Ｈａ及び包持体Ｈａから突設し建物の壁Ｗに打ち込むことが可能な固定杆Ｈｂを備えた樋保持具Ｈを支持するものである。
【００３２】
この第一の実施の形態に係る樋保持具用支持装置ＳＡは、建物の壁Ｗに取付けられ樋保持具Ｈの固定杆Ｈｂを支持する樹脂製の本体１を備えている。本体１は、壁Ｗに当接可能な裏面２を有し壁Ｗに取付けられるベース３と、ベース３の表面に一体に突設された突出部４とを備えて構成されている。ベース３は略長方形の板状に形成され、突出部４は略四角柱状に形成され、ベース３の略中央に突設されている。そして、この本体１には、その突出部４の先端面からベース３の裏面２に亘って樋保持具Ｈの固定杆Ｈｂが挿通可能な貫通孔５が貫通形成されている。また、ベース３の突出部４の周囲であって貫通孔５の軸線を中心とした点対称位置には、貫通孔５の軸線と平行な軸線を有した複数の取付孔６が形成されている。実施の形態では、取付孔６は突出部４の左右に夫々１つ形成されている。
【００３３】
また、ベース３の裏面２は、壁Ｗに接合される外周縁部７と、外周縁部７に囲繞されこの外周縁部７の面よりも突出部４側に所定深さ凹設されシール部材１０を介装可能な凹部８とを備えて構成されている。シール部材１０として、例えば、粘着性のシールテープを用いることができる。更に、ベース３の裏面２に開口する貫通孔５の開口縁部は、面取り形成されており、シール材料１１を介装可能な空所９が形成されている。シール材料１１としては、シリコーン系やポリウレタン系などの樹脂からなる充填剤（コーキング剤）を用いることができる。
【００３４】
また、本体１の突出部４には、貫通孔５に挿通された固定杆Ｈｂを所望の位置でロックするロック手段２０が設けられている。ロック手段２０は、突出部４の外側面から貫通孔５に亘って形成された雌ネジ部２１と、雌ネジ部２１に螺合しネジ込まれて固定杆Ｈｂを貫通孔５の内壁に押圧するロックボルト２２とを備えて構成されている。ロックボルト２２は、頭部に把持片２３を備えた蝶ボルトで構成されている。
【００３５】
従って、樋Ｔを取付ける際、樋保持具Ｈを壁Ｗに取付けるときは、先ず、樋保持具Ｈの取付け位置に樋保持具用支持装置ＳＡの本体１をそのベース３において例えばビス１３により取付ける。この場合、図３及び図４に示すように、ベース３の裏面２の凹部８には、シール部材１０、例えば、粘着性のシールテープを介在させる。また、ベース３の裏面２の空所９には、シール材料１１、例えば、シリコーン系やポリウレタン系などの樹脂からなる充填剤（コーキング剤）を充填する。
【００３６】
この状態で、図３に示すように、樋保持具Ｈの固定杆Ｈｂを本体１の突出部４の貫通孔５に挿通し、ハンマーなどで壁Ｗに打ち付ける。この場合、貫通孔５なので固定杆Ｈｂの打ち込みを容易に行うことができる。この打ち込みにおいては、樋Ｔの保持位置に合わせて調整する。この際、もし、打ち込みすぎたときは、固定杆Ｈｂを引き抜き、所謂出の調整を行なう。その後、ロック手段２０のロックボルト２２をネジ込み、固定杆Ｈｂをロックする。ロックボルト２２のネジ込みで固定杆Ｈｂをロックできるので、構造を簡単にして、ロック作業を容易にすることができる。また、ロックボルト２２は、蝶ボルトで構成されているので、手で締め付けを行うことができ、ロック作業をより一層容易にすることができる。
【００３７】
また、樋保持具Ｈの固定杆Ｈｂの出の調整により固定杆Ｈｂの壁Ｗに対する支持がゆるくなって弱くなっても、ロック手段２０のロックボルト２２により樋保持具Ｈの固定杆Ｈｂが突出部４に支持されて固定されるので、支持が強固で確実になる。即ち、固定杆Ｈｂを打ち込む既存のタイプの樋保持具Ｈを用いて施工できるようになるとともに、包持体Ｈａの進退動位置を可変にできるようになる。しかも、進退動位置を変えても、特に、所謂出の調整をしても、確実に壁Ｗに支持できるようになるのである。
【００３８】
また、図４に示すように、樋保持具Ｈの固定杆Ｈｂが壁Ｗに打ち込むことができない位置に移動させることもあるが、この場合でも、ロック手段２０のロックボルト２２により樋保持具Ｈの固定杆Ｈｂが突出部４に支持されて固定されるので、支持を強固にすることができる。このため、樋保持具Ｈの進退動位置調整の幅を大きくとることができ、施工の自由度を増すことができる。
【００３９】
更に、突出部４は、ベース３の略中央に突設され、ベース３は貫通孔５の軸線を中心とした点対称位置にある取付孔６にねじ込まれたビス１３に支持されるので、突出部４の周囲を均等に固定することができることから、バランスよく樋保持具Ｈを支持することができ、支持を安定させることができる。そして、樋Ｔが取付けられた状態では、ベース３の裏面２の凹部８には、シール部材１０が介在しているので、固定杆Ｈｂから雨水が壁Ｗに侵入する事態を防止することができる。従来のように樋保持具Ｈのみを壁Ｗに付設した場合には、壁Ｗとのシール性を確保することができず防水性に劣るが、本構成では防水性を確保することができるのである。また、ベース３の裏面２の空所９には、シール材料１１が介装されているので、貫通孔５自体をシール材料１１で塞ぐことができ、固定杆Ｈｂから雨水が壁Ｗに侵入する事態をより一層確実に防止することができる。
【００４０】
図５乃至図８には、本考案の第二の実施の形態に係る樋保持具用支持装置ＳＢを示している。第二の実施の形態に係る樋保持具用支持装置ＳＢは、屋根用のものであり、図５及び図７に示すように、上記と同様に、管状の樋Ｔを包持するリング状の包持体Ｈａ及び包持体Ｈａから突設し建物の壁に打ち込むことが可能な固定杆Ｈｂを備えた樋保持具Ｈを支持するものである。
【００４１】
この樋保持具用支持装置ＳＢは、金属製であり、屋根Ｒに付設される付設部材３０に取付けられる本体４０を備えている。付設部材３０としては、例えば、雪止め用の金具や、屋根Ｒに雪止め用の部材などを取り付けるための取付金具等、既存の部材を用いることができる。これらの既存の屋根用の金具は、金属製屋根，瓦屋根など種々の屋根の構造や形状などの態様に合わせて種々市販されており、その種類も多く汎用性に富む。図５，図７及び図８に示す付設部材３０は、上下に重なり合う段差部Ｒａを有した金属製屋根Ｒに雪止め用の部材などを取り付けるための周知の取付金具であり、露出した一方面３１及び他方面３２を有するとともに貫通した通孔３３を有した起立した板状部３４を有し、板状部３４に連設された一対の板バネ状の舌片３５，３６をネジ手段３７の締め付けにより屋根Ｒの段差部Ｒａを挾持することにより屋根Ｒに取付けられる。
【００４２】
本体４０は、例えば、樋保持具Ｈの固定杆Ｈｂが挿通可能な貫通孔４１が形成された金属製の円筒状に形成されている。また、本体４０には、本体４０を付設部材３０の板状部３４に取付ける取付け手段４２と、貫通孔４１に挿通された固定杆Ｈｂを所望の位置でロックするロック手段４３とが備えられている。本体４０には、本体４０の外側面から貫通孔４１に亘ってネジ径の異なる一対の雌ネジ部４４，４５が形成されている。
【００４３】
取付け手段４２は、本体４０に突設され本体４０が付設部材３０の一方面３１側に配置された状態で付設部材３０の通孔３３に挿通される取付けボルト４６と、付設部材３０の他方面３２側で取付けボルト４６に螺合しネジ込まれて他方面３２に当接して本体４０とともに付設部材３０の板状部３４を挾持して本体４０を板状部３４に取付ける取付けナット４７とを備えて構成されている。取付けボルト４６は、一対の雌ネジ部４４，４５のうちいずれか一方の雌ネジ部４４にネジ込まれて本体４０から突設される形態を取る。
【００４４】
ロック手段４３は、本体４０の外側面から貫通孔４１に亘って形成された一対の雌ネジ部４４，４５のうちいずれか一方の雌ネジ部４４と、この雌ネジ部４４に螺合しネジ込まれて固定杆Ｈｂを貫通孔４１の内壁に押圧するロックボルト４８とを備えて構成されている。実施の形態では、取付け手段４２の取付けボルト４６が、ロックボルト４８で構成されており、共用されている。取付けボルト４６とロックボルト４８とを共用できるので、より一層構造を簡単にすることができ、汎用性を増すことができる。尚、ロックボルト４８を、一対の雌ネジ部４４，４５のうちいずれか他方の雌ネジ部４５にネジ込まれるボルトで構成することもできる。
【００４５】
従って、樋Ｔを取付ける際、樋保持具Ｈを屋根Ｒに取付けるときは、先ず、付設部材３０を屋根Ｒに取付ける。それから、この付設部材３０に樋保持具用支持装置ＳＢの本体４０を取付け手段４２によって仮止めする。即ち、本体４０を付設部材３０の板状部３４の一方面３１側に配置し、取付けボルト４６（ロックボルト４８）に取付けナット４７を螺合した状態で、取付けボルト４６（ロックボルト４８）の先端側を通孔３３に挿通して本体４０の雌ネジ部４４にねじ込む。この状態で、樋保持具Ｈの固定杆Ｈｂを本体４０の貫通孔４１に挿通し、樋Ｔの保持位置に合わせて挿通位置を調整し、ロック手段４３により固定杆Ｈｂをロックする。この場合、ロックボルト４８（取付けボルト４６）を雌ネジ部４４にネジ込んで締め付け、固定杆Ｈｂを貫通孔４１の内壁に押圧する。この場合、固定杆Ｈｂを進退動させて包持体Ｈａの位置を調整できるので、樋保持具Ｈに保持する樋Ｔを適正位置で保持することができるようになる。また、ロック手段４３により本体４０に支持されて固定されるので、支持が強固で確実になる。
【００４６】
次に、取付け手段４２の取付けナット４７を締め付け、この取付けナット４７と本体４０とで付設部材３０の板状部３４を挾持して本体４０を板状部３４に取付ける。取付けナット４７を締め付けるだけで固定できるので、構造を簡単にして、固定作業を容易にすることができる。これにより、固定杆Ｈｂを打ち込む既存のタイプの樋保持具Ｈを用いて施工できるようになるので、このタイプの樋保持具Ｈは一般的に広く普及しており、その数も膨大であることから、汎用性を確保することができる。即ち、従来のように、屋根専用の樋保持具Ｈを用いなくても、付設部材３０として既存の雪止め用の金具等を用い、既存のタイプの樋保持具Ｈを用いて施工できるようになるので、汎用性を得ることができるのである。
【００４７】
図９乃至図１２には、本考案の第三の実施の形態に係る樋保持具用支持装置ＳＣを示している。第三の実施の形態に係る樋保持具用支持装置ＳＣは、屋根用のものであり、図９及び図１１に示すように、上記と同様に、管状の樋Ｔを包持するリング状の包持体Ｈａ及び包持体Ｈａから突設し建物の壁に打ち込むことが可能な固定杆Ｈｂを備えた樋保持具Ｈを支持するものである。この樋保持具用支持装置ＳＣは、金属製であり、屋根Ｒに付設される付設部材３０に取付けられる本体５０を備えている。付設部材３０としては、上記と同様の取付金具が用いられる。この付設部材３０としての取付金具は、露出した一方面３１及び他方面３２を有するとともに貫通した通孔３３を有した起立した板状部３４を有し、板状部３４に連設された一対の板バネ状の舌片３５，３６をネジ手段３７の締め付けにより屋根Ｒの段差部Ｒａを挾持することにより屋根Ｒに取付けられる。
【００４８】
本体５０は、樋保持具Ｈの固定杆Ｈｂが挿通可能な貫通孔５１が形成された直状ボルトで構成されている。詳しくは、本体５０は、付設部材３０の通孔３３に挿通され一端側から雄ネジ５２が形成され他端側に貫通孔５１が形成されるとともに付設部材３０の通孔３３に挿通されて貫通孔５１を一方面３１側に位置させる直状ボルトで構成されている。貫通孔５１は、直状ボルトの軸線に直交する軸線を有して直状ボルトの他端側に貫通形成されている。
【００４９】
また、本体５０には、本体５０を付設部材３０の板状部３４に取付ける取付け手段５３と、貫通孔５１に挿通された固定杆Ｈｂを所望の位置でロックするロック手段５４とが備えられている。
取付け手段５３は、付設部材３０の一方面３１側に位置した本体５０の貫通孔５１に樋保持具Ｈの固定杆Ｈｂを挿通した状態で、付設部材３０の他方面３２側から本体５０の雌ネジ５２に螺合し、ネジ込まれて他方面３２に当接して固定杆Ｈｂとともに付設部材３０の板状部３４を挾持して本体５０を板状部３４に取付ける取付けナット５５を備えて構成されている。また、ロック手段５４は、この取付け手段５３の取付けナット５５からなるロックナット５６で構成されている。即ち、取付けボルト５３とロックボルト５６と共用できるので、より一層構造を簡単にすることができ、汎用性を増すことができる。符号５７は、取付けナット５５（ロックナット５６）と板状部３４の他方面３２との間に介装されるワッシャーである。
【００５０】
従って、樋Ｔを取付ける際、樋保持具Ｈを屋根Ｒに取付けるときは、先ず、付設部材３０を屋根Ｒに取付ける。それから、予め、直状ボルトからなる本体５０に取付け手段５３の取付けナット５５（ロック手段５４のロックナット５６）をネジ込み、ワッシャー５７を装着しておき、付設部材３０の通孔３３にこの直状ボルトからなる本体５０を挿通し、付設部材３０の一方面３１側に位置した本体５０の貫通孔５１に樋保持具Ｈの固定杆Ｈｂを挿通し、樋Ｔの保持位置に合わせて挿通位置を調整し、この状態で、付設部材３０の他方面３２側から取付けナット５５（ロックナット５６）を締め、この取付けナット５５（ロックナット５６）と固定杆Ｈｂとで付設部材３０の板状部３４を挾持して本体５０を板状部３４に取付ける。これにより、取付けナット５５（ロックナット５６）を締め付けるだけで、本体５０を固定できるとともに、同時に樋保持具Ｈの固定杆Ｈｂをロックできるので、構造を極めて簡単にして、固定作業を容易にすることができる。
【００５１】
この場合、固定杆Ｈｂを進退動させて包持体Ｈａの位置を調整できるので、樋保持具Ｈに保持する樋Ｔを適正位置で保持することができるようになる。また、ロック手段５４により本体５０に支持されて固定されるので、支持が強固で確実になる。これにより、固定杆Ｈｂを打ち込む既存のタイプの樋保持具Ｈを用いて施工できるようになるので、このタイプの樋保持具Ｈは一般的に広く普及しており、その数も膨大であることから、汎用性を確保することができる。即ち、従来のように、屋根専用の樋保持具Ｈを用いなくても、付設部材３０として既存の雪止め用の金具等を用い、既存のタイプの樋保持具Ｈを用いて施工できるようになるので、汎用性を得ることができるのである。
【００５２】
尚、上記第一の実施の形態において、ベース３の形状は、矩形板状に限らず、円盤状にするなど適宜変更して差支えない。また、突出部４の形状も円管状に形成するなど適宜変更して差支えない。貫通孔５の内径も適宜定めてよい。また、上記第２の実施の形態においても、本体４０の形状は上述したものに限定されず適宜変更して差支えない。更に、上記第２の実施の形態において、取付けボルト４６（ロックボルト４８）を一対の雌ネジ部４４，４５のうちいずれか一方の雌ネジ部４４に螺合するボルトで構成したが、必ずしもこれに限定されるものではなく、いずれか他方の雌ネジ部４５に螺合するボルトで構成しても良い。即ち、ネジ径の異なる雌ネジ部４４，４５を一対設けたことにより、付設部材３０に設けられる通孔３３に合わせて、適正なネジ径の取付けボルト４６（ロックボルト４８）を選択できる。また、第二，第三の実施の形態において、これが取付けられる付設部材３０は、上述した屋根に雪止め用の部材などを取り付けるための取付金具に限定されるものではなく、構造や形状が種々に異なる他の雪止金具をはじめとするどのような形態の金具であっても良いことは勿論である。また、各実施の形態において、樋保持具用支持装置ＳＡ，ＳＢ，ＳＣの材質は、樹脂製，金属製に限定されないことは勿論である。
【符号の説明】
【００５３】
Ｔ  樋
Ｗ  壁
Ｒ  屋根
Ｒａ  段差部
Ｈ  樋保持具
Ｈａ  包持体
Ｈｂ  固定杆
ＳＡ  樋保持具用支持装置
１  本体
２  裏面
３  ベース
４  突出部
５  貫通孔
６  取付孔
７  外周縁部
８  凹部
９  空所
１０  シール部材
１１  シール材料
２０  ロック手段
２１  雌ネジ部
２２  ロックボルト
ＳＢ  樋保持具用支持装置
３０  付設部材
３１  一方面
３２  他方面
３３  通孔
３４  板状部
４０  本体
４１  貫通孔
４２  取付け手段
４３  ロック手段
４４，４５  雌ネジ部
４６  取付けボルト
４７  取付けナット
４８  ロックボルト
ＳＣ  樋保持具用支持装置
５０  本体
５１  貫通孔
５２  雄ネジ
５３  取付け手段
５４  ロック手段
５５  取付けナット
５６  ロックナット
５７  ワッシャー
【図１】
0003198271.tif 000003
【図２】
0003198271.tif 000004
【図３】
0003198271.tif 000005
【図４】
0003198271.tif 000006
【図５】
0003198271.tif 000007
【図６】
0003198271.tif 000008
【図７】
0003198271.tif 000009
【図８】
0003198271.tif 000010
【図９】
0003198271.tif 000011
【図１０】
0003198271.tif 000012
【図１１】
0003198271.tif 000013
【図１２】
0003198271.tif 000014
【図１３】
0003198271.tif 000015
【図１４】
0003198271.tif 000016
【図１５】
0003198271.tif 000017
【図１６】
0003198271.tif 000018